(57)【要約】  【解決手段】  １つ若しくはそれ以上の対象／ユーザの高さ／身長を測定する装置、システム、および方法が開示される。高さ測定装置の較正が終わったら、伸縮自在足プラットホームがユーザ／対象の頂部に置かれ、レーザーセンサが距離を取得、格納、および計算することにより、その対象／ユーザの高さ／身長が測定される。高さ測定値は画面に表示されてもよい（表示には、高さ測定装置自体の画面表示、またはタブレット、スマートフォン、スケールなどの他の装置による表示が含まれる）。各ユーザの身長データは相互に比較されてもよい。高さ測定装置には、将来における青年期ユーザの身長を測定する推定遺伝的アルゴリズムも含まれる。  【選択図】  図１
2019517660.tif 000002
【特許請求の範囲】
【請求項１】
高さ測定装置であって、
ハウジング内に含まれる電源であって、前記ハウジングは、
前側シェルアセンブリおよび背面側シェルアセンブリであって、前記前側シェルアセンブリは安定性のある取付表面に対して反対方向に配向され、前記背面側シェルアセンブリは前記安定した取付表面に面する方向に配向されるものであり、前記背面側シェルアセンブリは締結部材により前記安定した取付表面に取り付けられており、前記安定した取付表面は所定の部屋内に位置しているものである、前記前側シェルアセンブリおよび背面側シェルアセンブリと、
内部に画面表示装置が配置された表示開口部であって、前記表示開口部および前記画面表示装置は、ユーザ入力を受信および格納する１つ若しくはそれ以上の電子機器に接続されているものである、前記表示開口部と、
前記ハウジング内に固定されたブラケットに取り付けられられたレーザーセンサであって、前記部屋内の床に向かう方向に配向されているものである、前記レーザーセンサと
を有するものである、前記電源と、
２つの端部を有する伸縮自在テープであって、第一の端部は前記ハウジング内に固定され、第二の端部は取付部材により伸縮自在プラットホームに接続されており、前記伸縮自在プラットホームは、
前記レーザーセンサから放射されるレーザービームを反射する表面を有する第一の側と、
高さ測定対象に接触する表面を有する第二の側とを有しており、
前記第一の側および前記第二の側は、前記第一の側が前記部屋内の天井方向に配向され、前記第二の側が前記部屋内の床方向に配向されるように相互に固着されており、
前記レーザーセンサから放射されたレーザービームを反射する表面は、前記伸縮自在プラットホームの移動距離に対応しており、前記伸縮自在プラットホームの移動距離は前記対象に到達するまで延長し、前記対象の高さの測定値を示すものであり、
前記伸縮自在プラットホームは、さらに、
貫通孔部と、
光学的に半透明なタブであって、第一の位置に移動されたとき、前記レーザービームの通過が可能となり、第二の位置に移動されたとき、前記レーザービームの通過を妨げるものである、前記光学的に半透明なタブと
を有し、
前記光学的に半透明なタブによる前記第一および第二の位置への移動は、前記光学的に半透明なタブのスライド機構により達成されるものであり、
前記タブが前記第一の位置に移動すると較正モードとなり、前記タブが前記第二の位置に移動すると操作モードとなるものであり、
前記較正モードは、前記レーザーセンサから放射された前記レーザービームを前記貫通孔部を通して前記部屋の床へ向けることにより、該高さ測定装置が前記背面側シェルアセンブリを介して取り付けられた際の高さを電子的に取得することを含んでおり、
前記操作モードは、前記レーザーセンサから放射された前記レーザービームを前記第二の位置にある前記光学的に半透明のタブへ向けることにより、前記伸縮自在プラットホームの移動距離を電子的に取得することを含んでおり、
前記高さ測定装置は、前記較正モードで測定された前記取得された高さから前記操作モードで測定された前記取得された高さを減算することにより、前記対象の高さを電子的に計算するものであり、
前記画面表示装置は前記対象の高さを表示するものである、
前記伸縮自在テープと
を有する、高さ測定装置。
【請求項２】
請求項１記載の高さ測定装置において、前記レーザーセンサは、複数の距離測定値を、前記伸縮自在プラットホームから反射された対応する複数の反射信号を解釈することにより、前記プロセッサへ出力するものである、高さ測定装置。
【請求項３】
請求項１記載の高さ測定装置において、前記伸縮自在テープは、レールなしで移動して前記伸縮自在プラットホーム内に納まるものである、高さ測定装置。
【請求項４】
請求項１記載の高さ測定装置において、前記背面側シェルは、前記安定した取付表面に、前記部屋内の床に対して垂直に取り付けられるのを確実にするための、少なくとも１つの一体型レベル標識を有するものである、高さ測定装置。
【請求項５】
請求項１記載の高さ測定装置において、前記画面表示装置は、ユーザ入力を受信および表示し、タッチスクリーン、スマートフォン、タブレット、モニター、カメラ、スピーカー、およびスケールから成る群から選択されるものである、高さ測定装置。
【請求項６】
請求項１記載の高さ測定装置において、ユーザ入力を受信および格納する前記１つ若しくはそれ以上の電子機器は、少なくとも１つの手動式押しボタン、プロセッサ、無線システム、メモリモジュール、音声認識モジュール、顔認識モジュール、カメラモジュール、マイクロホン、およびオーディオスピーカーから成る群から選択されるものである、高さ測定装置。
【請求項７】
対象の高さを測定する方法であって、
高さ測定装置を開始する工程と、
タブを足プラットホームの孔部から離れる方向にスライドさせ、開放位置にする工程と、
ユーザ入力をトリガしてレーザー装置内に含まれるプロセッサを起動することにより、前記高さ測定装置を較正する工程と、
前記レーザー装置からのビームを前記足プラットホームの前記孔部を通して表面に投射する工程であって、前記ビームは前記表面で反射され、較正読み取り値を前記レーザー装置の前記プロセッサに送り返す工程と、
前記較正読み取り値を前記プロセッサにより取得および格納する工程と、
前記足プラットホームの前記孔部を閉じ、前記足プラットホームを下方に向かって前記対象の頂部まで引っ張り、該頂部位置で所定時間保持する工程と、
前記ビームを前記足プラットホーム上に投射する工程であって、前記ビームは前記足プラットホームで反射され、距離読み取り値を前記レーザー装置の前記プロセッサに送信する工程と、
前記距離読み取り値を前記プロセッサにより取得および格納する工程と、
前記較正読み取り値と前記距離読み取り値との間の距離を計算して高さ測定読み取り値を算出する工程と、
前記高さ測定読み取り値を画面表示装置に表示する工程と
を有する、方法。
【請求項８】
請求項７記載の方法において、さらに、前記高さ測定装置を表面に取り付ける工程を有するものである、方法。
【請求項９】
請求項７記載の方法において、さらに、前記高さ測定読み取り値を対応する装置へ送信する工程を有するものである、方法。
【請求項１０】
請求項７記載の方法において、前記対応する装置は、スケール、タブレット、モニター、ＰＣ、スピーカー、およびスマートフォンから成る群から選択されるものである、方法。
【請求項１１】
対象の高さを測定するためのシステムであって、
プロセッサと、
前記プロセッサに連結され、複数の命令を格納する非一時的コンピュータ読取り可能媒体であって、前記複数の命令は実行されると、前記プロセッサに測定データの処理を実行させるものであり、前記複数の命令は、
前記プロセッサに、高さ測定装置が起動されたことを決定させる命令と、
前記プロセッサに、足プラットホームの孔部が開放位置にあることを決定させる命令と、
前記プロセッサに、較正が初期設定されたことを決定させる命令と、
前記プロセッサに、表面で反射された第一のビームから較正読み取り値が送信された時点を決定させる命令と、
前記プロセッサに、前記較正読み取り値を取得および格納させる命令と、
前記プロセッサに、前記足プラットホームの孔部が閉鎖位置にあることを決定させる命令と、
前記プロセッサに、前記足プラットホームが下方かつ前記対象の頂部へ移動時点を決定させる命令と、
前記プロセッサに、距離読み取り値が前記足プラットホームで反射された第二ビームから送信された時点を決定させる命令と、
前記プロセッサに、前記距離読み取り値を取得および格納させる命令と、
前記プロセッサに、前記較正読み取り値から前記距離読み取り値の距離を計算し、結果としての高さ測定読み取り値を決定させる命令と、
前記プロセッサに、前記結果としての高さ測定読み取り値を取得および格納させる命令と、
前記プロセッサに、前記高さ測定読み取り値を画面表示装置に送信させる命令と
を有する、システム。
【請求項１２】
請求項１１記載のシステムにおいて、さらに、
前記プロセッサに、前記対象の高さを推定し、推定した高さ結果を出力するためのアルゴリズムを実行させる命令を有し、前記システムは、
前記プロセッサに、前記対象の前記推定した高さの結果を取得および格納させる命令と、
前記プロセッサに、前記推定した高さの結果を前記画面表示装置に送信させる命令と
を有するものである、システム。
【請求項１３】
請求項１１記載のシステムにおいて、さらに、
後続の対象が前記高さ測定装置を開始した時点を決定させる命令を有し、前記システムは、
前記プロセッサに、前記足プラットホームが前記後続の対象の頂部位置まで下方に移動した時点を決定させる命令と、
前記プロセッサに、前記下方位置を後続の距離読み取り値として取得および格納させる命令と、
前記プロセッサに、前記後続の距離読み取り値を計算させる命令と、
前記プロセッサに、前記比較した高さを前記画面表示装置に表示させる命令と
を有するものである、システム。
【請求項１４】
記載なし
【請求項１５】
記載なし
【請求項１６】
請求項１４記載のシステムにおいて、さらに、
前記プロセッサに、少なくとも１対の対象の前記推定高さ結果を比較して前記比較した高さ結果を格納させる命令と、
前記プロセッサに、前記比較した推定高さ結果を前記画面表示装置に表示させる命令と
を有するものである、システム。
【発明の詳細な説明】
【技術分野】
【０００１】
本発明は、高さを測定する装置、方法、およびシステムに関する。
【背景技術】
【０００２】
高さ測定装置の開発は長年にわたって行われている。従来、人の身長は、柔軟な巻き尺を用いて家庭で測られるか、あるいは通常床ベースを有する大型で嵩張る身長測定装置を用いて医務室で測定される。他の壁付け装置は、スライド式の板を用いた長くて扱いにくい目盛り付き棒、あるいは読み取りにくいパララックスサイトを有するベース目盛り付き伸縮自在テープを使用する。
【発明の概要】
【発明が解決しようとする課題】
【０００３】
さらにいくつかの電子測定装置が、過去数十年にわたり、高さ測定値を取得するために導入されてきた。いくつかの装置において、装置が人の頭の上に具体的に配置され、床から天井までの距離が測定され、次にその人の頭から天井までの距離を引き算することによりその人の身長が計算され、その結果、その人の縦方向の位置が電子的に追跡され、次に、対応する身長測定値が報告されている。しかし、斯かる装置では、非アーチ型の天井および床が明確に視線内に入っていなければならない。装置は人の頭からずり落ちる可能性があるので、その人の身長が不適切に計算される可能性が高い。  
【課題を解決するための手段】
【０００４】
しかし、本発明による高さ測定装置では、ユーザの頭の上でバランスを取ったり、床からの所定の距離に配置されたりする必要がなく、表面に置かれるだけなので、更なる安定性が提供される。さらに、該装置は、身長を測定するのに、面倒なドアエッジマウントに依存することもなく、大型の床ベース装置を必要とすることもなく、測定値を読み取る際に視差エラーが生じることもない。較正読み取り値と距離読み取り値との間の差から高さを計算するレーザーなどの距離センサを導入することにより、さらに効果的で正確な高さ測定が提供されるが、その場合、計算は床プラットホームが異なる位置に移動された時点で開始される。ユーザは、ユーザの目線よりも上に位置する足プラットホームによってＵＶレーザービームへ曝される可能性から保護されており、従って、目は完全に安全である。
【図面の簡単な説明】
【０００５】
本発明は、以下の非限定的な図面により説明される。
【図１】図１は、高さ測定装置の前部斜視図である。
【図２】図２は、足が延伸した状態にある高さ測定装置の等角図である。
【図３】図３は、図３は、レーザーセンサを有する高さ測定装置の分解図である。
【図４】図４は、レーザー法を用いて較正中の高さ測定装置の図である。
【図５】図５は、ユーザ参加状態を示す高さ測定装置の図である。
【図６】図６は、スマートアプリケーションおよび／またはスケールに対応可能な高さ測定装置の図である。
【発明を実施するための形態】
【０００６】
高さを測定するための装置、方法、およびシステムが提供される。該装置および方法には、距離センサを係合させて較正読み取り値を取得および格納することにより、高さ測定装置を開始および較正する工程が含まれる。距離センサはレーザー形態であってもよいし、他の照準線装置であってもよい。伸縮自在テープに接続された足プラットホームが対象／ユーザの頂部に引き上げられる。読み取り値が取得され、距離読み取り値として使用される。距離センサはユーザ／対象のために高さ測定値を取得し、格納し、計算し、該高さ測定値を画面に表示する。
【０００７】
該システムは、１つ若しくはそれ以上の対象（ユーザを含む）のために、較正データ並びに高さ測定データを取得、計算、および格納可能なプロセッサ命令を含んでいる。該システムは、次に、対象／ユーザの高さに関する計算結果を表示する。さらに、高さデータは、２つ以上の対象／ユーザを比較可能である。高さデータは、将来における青年期ユーザの遺伝的身長を推定するため、推定アルゴリズムを用いて処理されてもよい。比較された高さおよび推定された高さを含む高さ測定値は、格納され、スマートフォン、スケール、タブレットなどを含む任意の複数の画面に表示されてもよい。
【０００８】
以上の要約は、簡略化された形で選択された概念を紹介するためのものであり、以下にさらに詳細に記載されるものである。上記要約は、請求項記載の主題の主な特徴または本質的特徴を特定する意図を有するものでも、請求項記載の主題の範囲を限定する意図を有するものでもない。
【０００９】
図１はハウジングを有する高さ測定装置（１）を示しており、該ハウジングは前側シェルアセンブリ（９）および対応する背面側シェル（５０）を有している。好ましい装飾的実施形態において、前側シェルアセンブリ（９）には、鋳型成形スナップタブを有する頭（２）、表示開口部（１０）を有する腹部（５）、一体型カメラ（３１）を有する画面表示装置（３０）、少なくとも１つの手動式押しボタン（３２）、および装飾的腕（３）が含まれる。しかし、前側シェルアセンブリ（９）は、装飾的な表面部の特徴を有するデザインに限定されるものではなく、完全に機能的なデザインであってもよい。閉鎖位置で図示されているスライド式タブ（２４）を有する足プラットホーム（１２）は、腹部（５）の下側およびハウジングの背面側シェル（５０）の底に垂直に隣接している。足プラットホーム（１２）は、該足プラットホーム（１２）がハウジングの下側に直接接触し損傷を与えるのを防ぐため、１つ若しくはそれ以上のバンパーを含んでいるのが好ましい。足プラットホーム（１２）は、ユーザの経験欲を高めるため、鋳型成形趾カットアウトなどの装飾的設計を含んでいてもよい。
【００１０】
図２は、足プラットホーム（１２）が部分的に延伸した位置にある高さ測定装置（１）を示している。足プラットホーム（１２）は伸縮自在テープ（１５）に接続されており、足部ブラケット（２３）または他の取付部材によって固定されている。好ましい実施形態では、伸縮自在テープ（１５）は、バネ懸架式巻き尺に類似した形状および構造を有している。この図では、レーザービーム（２５）は、骨格アセンブリ（９）の下側から足プラットホーム（１２）の方向、すなわち閉鎖位置にあるスライド式タブ（２４）上に、下向きに投射可能である。
【００１１】
図３は高さ測定装置（１）の分解図であり、この場合、飛行時間型レーザー装置（３７）がセンサブラケット（４２）上に固定されている。レーザー装置（３７）は、閉鎖位置にあるスライド式タブ（２４）から反射されたレーザービーム（２５）によりユーザまたは対象の高さ測定値を取得するが、該スライド式タブは伸縮自在足プラットホーム（１２）の上側に位置している。足プラットホーム（１２）は、スライド式タブ（２４）の下側に位置し隠れている孔部（６１）を有しており、該スライド式タブ（２４）は、高さ測定装置の操作モード中は閉じられている。スライド式タブ（２４）が孔部（６１）から引き離されると、該孔部（６１）は開いた状態となり、高さ測定装置（１）の較正モード中は開放位置に置かれる。伸縮自在テープ（１５）は薄くて剛体ではあるが柔軟な素材で作られており、バネ懸架式テープハウジング（４０）内に含まれているのが好ましい。テープハウジング（４０）は、それを適所に保持するため、背面側シェル（５０）から垂直に突出した壁（５３）の間に挿入される。足プラットホーム（１２）を縦方向に引き下げると、伸縮自在テープ（１５）は同時に下方に移動し、伸縮自在テープ（１５）の残りの部分は、巻かれた状態でバネ懸架式テープハウジング（４０）内に残ったままである。伸縮自在テープ（１５）は、延伸に伴いテープハウジング（４０）から出て引き伸ばされ、部分的に周囲を取り囲んでいるセンサブラケット（４２）を通過する。センサブラケットは、伸縮自在テープ（１５）を特定の空間距離内に制限する。伸縮自在テープ（１５）および足ブラケット（２３）は、移動経路に沿って、縦方向の平行性および足プラットホーム（１２）の水平剛性を提供する。背面側シェル（５０）は、取り付けネジ（４６）および座金（４７）を用いて、壁などの表面に取り付け可能となるように構成されている。壁への取り付けの際に、高さ測定装置（１）が床に対して真に垂直になっているかどうかを確認するため、気泡式または電子式のレベル標識（４５）をハウジング内、好ましくは背面側シェル（５０）の内部に固定してもよい。背面側シェル（５０）は、１つ若しくはそれ以上の締結部材（５６）を用いて、鋳型成形ボス（５５）を通して前側シェルアセンブリ（９）に取り付けてもよい。頭（２）部分は１つ若しくはそれ以上の鋳型成形スナップタブ（７）で取り付け／取り外しが可能なので、締結部材なしで電源／バッテリ（６）へのアクセスが提供されるだけでなく、高さ測定装置（１）自体の取り付けネジ（４６）へのアクセスも便利である。
【００１２】
一体型カメラ（３１）を有する画面表示装置（３０）が前側シェルアセンブリ（９）に組み込まれ、対応する特定用途向け集積回路（ＡＳＩＣ）盤（３５）に隣接して配置されている。ＡＳＩＣ盤（３５）は、手動式押しボタン（３２）、プロセッサ、無線システム、メモリモジュール、音声認識モジュール、顔認識モジュール、カメラモジュール、マイクロホン、オーディオスピーカー、他の電子機器、マイクロエレクトロニクスなどのシステムハードウェアを収納する。画面表示装置（３０）は、手動式押しボタンと一緒に、ユーザが該画面表示装置（３０）上でボタンを押したり、情報を追加したり、および／またはグラフィカルユーザインターフェース（ＧＵＩ）を用いて対象物を操作したりするのを可能にするタッチスクリーンとして使用してもよい。カメラ（３１）は、顔認識および／またはユーザあるいは対象の写真用として使用してもよい。高さ測定装置（１）のソフトウェアは、ユーザ入力および／または対象の情報（個人または家族員の割り当てなど）を受け入れ、データを対応するＬＥＤ、ＬＣＤ、または類似の画面表示装置（３０）に送信できる。斯かる選択肢により、ユーザは、ユーザ／対象の情報およびパスワード機能を容易に入力したり、開始したり、操作したり、および／または関連付けたりできる。
【００１３】
足プラットホーム（１２）を下方に引っ張り、それが特定の時間（例えば３秒間）ユーザまたは対象の頂部に留まると、レーザー装置（３７）がセンサブラケット（４２）の固定取付位置から下向きのレーザービーム（２５）を放射し、該レーザービームは、足プラットホーム（１２）のスライド式タブ（２４）で反射される。次に、レーザー装置（３７）のプロセッサおよびアルゴリズムが飛行時間型データを即座に評価し、無地の伸縮自在テープ（１５）および隣接する足プラットホーム（１２）の正確な移動距離を出力する。技術的には、上述のレーザー装置（３７）は飛行時間型として記載されてはいるが、三角測量法、または照準装置ベースの距離測定をサポートする他の任意の技術を用いてもよい。
【００１４】
図４は、較正モードにある高さ測定装置（１）およびレーザー装置（３７）用の較正プロセスを示している。高さ測定装置（１）を壁または他の表面に取り付けた後、該高さ測定装置（１）は、床または他の表面への相対位置を記録するため、電子的に較正されるべきである。図３を参照すると、足プラットホーム（１２）は垂直に延びたスライド式タブ（２４）を有しており、孔部（６１）を横切ってスライド可能であるので、ユーザは該孔部（６１）を開け閉めすることにより、高さ測定装置（１）の操作モードをコントロールできる。較正モード中、足プラットホーム（１２）は高さ測定装置に隣接し、足プラットホーム（１２）上のスライド式タブ（２４）が開放位置まで自動的にスライドする（またはユーザが手動でスライドして開いてもよい）。スライド式タブ（２４）が開かれると、孔部（６１）が表に現れ、レーザービーム（２５）が足プラットホーム（１２）および孔部（６１）を通して床または他の表面を照準できるようになる。較正を開始するため、押しボタン（３２）が特定の時間（例えば７秒間）手動で押される（またはタッチスクリーン画面表示装置（３０）または音声認識を用いてプロセスを起動してもよい）。レーザービーム（２５）が孔部（６１）を即座に通過し、床または他の表面で反射され、取り付け後の較正読み取り値を取得および記録するために電子距離信号をレーザー装置（３７）のプロセッサに送り返す間、ビーっと言う音声が発せられてもよい。較正読取りの結果はＡＳＩＣ盤（３５）のメモリに格納され、画面表示装置（３０）に表示されてもよい（および／または状態情報がオーディオスピーカーから発せられてもよい）。高さ測定装置（１）が較正されたら、孔部（６１）は手動でまたは自動的に再び閉じられ、高さ測定装置（１）は、物理的高さが取り付け後の較正距離よりも十分低い個人または対象用に使用準備完了となる。これ以外の個別の較正は必要ではないが、高さ測定装置（１）の縦方向の取り付け位置が変更された場合には、高さ測定装置（１）は再び較正し直さなければならない。
【００１５】
図５は、足プラットホーム（１２）の下に位置付けられたユーザのための測定プロセスを示している。ユーザは、特定の設定プロトコールにより、自分の個人用押しボタン（３２）をまずプログラムしてもよい（そうすれば、だれが高さ測定装置（１）を使用しようとしているかを該装置（１）が認識できるようになり、プログラムされた特定の押しボタン（３２）に該ユーザを関連付けられるようになる）。同様に、ユーザが個人用押しボタン（３２）を選択すれば、以前に格納した個人用のユーザデータ（限定されないが、以前の身長、体重、年齢、名前、性別など）に高さ測定値を追加できるようになる。あるいは、ユーザは、顔認識ソフトウェア機能を用いることにより、一体型カメラ（３１）を通して自動的に認識されてもよい。
【００１６】
操作に関しては、ユーザは自分の個人用押しボタン（３２）を特定の時間枠（例えば１０秒）内に押すだけである。足プラットホーム（１２）がユーザの頭の頂部に隣接し平らに置かれるまで、ユーザはそれを引き下げる（または該足プラットホームは自動的に下方に移動する）。足プラットホーム（１２）が所定の時間（例えば３秒間）ユーザの頭に置かれると、ビーっと言う音が発せられてもよい。レーザー装置（３７）が、足プラットホーム（１２）の移動距離を自動的に取得し、メモリに格納する。ユーザまたは対象の全高さ計算は、格納された取り付け後の較正距離と、下の標的の上部に配置された足プラットホーム（１２）の実際の移動距離との差の計算にすぎない。ＡＳＩＣ盤のシステムアルゴリズムがデジタルの高さを取得、記録、および格納するが、このデータは画面表示装置（３０）に表示されてもよいし、および／または音声スピーカーから音声を発してもよい。高さ測定装置（１）からの有線または無線（１０１）データ送信は、スケール（１００）、スマートフォン（１１１）、または他の接続された任意のユーザ装置と共有されてもよい。この場合、高さ測定装置の画面表示装置（３０）は、ユーザの姓名、身長、体重、年齢、推定身長、および／または写真の表示に限定されるものではない。同時に、接続されたスマートフォン（１１１）は、共有データ（ユーザの姓名、現在の身長、将来の推定身長、出生日、体重、性別、プライバシー設定、母親の名前、母親の身長、父親の名前、父親の身長を含んでもよい）の表示、並びに年齢、日付、および身長が刻印されたユーザの写真の表示に限定されるものではない。同様に、接続されたスケール（１００）は、ユーザの名前、体重などの表示に限定されるものではない。  
図６は、専用の体重計（１００）に接続された高さ測定装置（１）を含む好ましいシステムを示すものであり、該体重計は、共有データ、メモリ、および高さ測定装置の手動式押しボタン（３２）に対応する足起動押しボタン（１３２）を有している。スマートフォン（１１２）、（１１３）、および（１１４）も示されているが、これらは任意数の接続可能性、例えばタブレット、モニター、ＰＣ、スマートフォン、または他の装置を代表するものである。スマートフォン（１１３）は、将来における相対的身長を示す人物像と並べられたユーザの身長の目盛付き画像表示を、高さ測定装置（１）が計算し表示した画面を示している。スマートフォン（１１４）は、等しい身長または異なる身長の家族員の相対人物像と並べて示されたユーザの身長の目盛付き画像表示を、高さ測定装置（１）が計算し表示した画面を示している。スマートフォン（１１２）は、一対のコードを高さ測定装置（１）および体重計（１００）から受信および／またはそれらに送信するプロセスを示している。全接続装置が組み合わされ、情報が同期化され累積されたならば、その結果は表示、共有、印刷、および／または格納されてもよい。高さ測定装置（１）データセットの一般的な範囲には、限定されないが、個人情報、兄弟姉妹の情報、親の情報、家系図データ、診療記録、人口統計的情報、および他の共有された人口統計的ＡＰＩデータが含まれる。
【００１７】
本開示は、その説明が例示／記載目的で提供されてはいるが、開示された形態が全てであることを意図するものではないし、開示された形態に限定される意図を有するものでもない。本開示の範囲および精神から逸脱することなく多くの変更および変形が可能であり、あらゆる点において等価物が十分に認識されるべきであることは、当業者には明白であろう。
【００１８】
本開示は、その説明が例示／記載目的で提供されてはいるが、開示された形態が全てであることを意図するものではないし、開示された形態に限定される意図を有するものでもない。本開示の範囲および精神から逸脱することなく多くの変更および変形が可能であり、あらゆる点において等価物が十分に認識されるべきであることは、当業者には明白であろう。
【図１】
2019517660.tif 000003
【図２】
2019517660.tif 000004
【図３】
2019517660.tif 000005
【図４】
2019517660.tif 000006
【図５】
2019517660.tif 000007
【図６】
2019517660.tif 000008
【国際調査報告】
2019517660.tif 000009